(57)【要約】  本発明の情報処理装置１００は、対象場所に応じた人物の属性を表す基準属性情報を記憶する記憶手段１３０と、対象場所を撮影した撮影画像内の人物の属性を表す人物属性情報を抽出する抽出手段１１０と、基準属性情報と人物属性情報とに基づいて撮影画像内の所定の人物を検出する検出手段１２０と、を備える。
2020148889.tif 000002
【特許請求の範囲】
【請求項１】
対象場所に応じた人物の属性を表す基準属性情報を記憶する記憶手段と、
前記対象場所を撮影した撮影画像内の人物の属性を表す人物属性情報を抽出する抽出手段と、
前記基準属性情報と前記人物属性情報とに基づいて前記撮影画像内の所定の人物を検出する検出手段と、
を備えた情報処理装置。
【請求項２】
請求項１に記載の情報処理装置であって、
前記検出手段は、複数の人物の属性を表す前記基準属性情報と、１人又は複数の人物の属性を表す前記人物属性情報と、に基づいて、前記撮影画像内の所定の人物を検出する、
情報処理装置。
【請求項３】
請求項１又は２に記載の情報処理装置であって、
前記検出手段は、前記基準属性情報に対して前記人物属性情報が、所定の基準により合致する場合、又は、所定の基準により合致しない場合に、当該人物属性情報に対応する前記撮影画像内の所定の人物を検出する、
情報処理装置。
【請求項４】
請求項１乃至３のいずれかに記載の情報処理装置であって、
前記基準属性情報は、周囲環境毎に設定されており、
前記検出手段は、前記撮影画像の周囲環境に対応して設定された前記基準属性情報と前記人物属性情報とに基づいて前記撮影画像内の所定の人物を検出する、
情報処理装置。
【請求項５】
請求項１乃至４のいずれかに記載の情報処理装置であって、
前記抽出手段は、前記撮影画像内の人物の行動を表す行動情報を抽出し、
前記検出手段は、前記基準属性情報と前記人物属性情報と前記行動情報とに基づいて、前記人物属性情報に対応する前記撮影画像内の所定の人物を検出する、
情報処理装置。
【請求項６】
請求項１乃至５のいずれかに記載の情報処理装置であって、
前記対象場所を撮影した前記撮影画像内の人物の属性を抽出し、当該抽出した人物の属性に基づいて当該対象場所に対応する前記基準属性情報を生成して記憶する基準属性情報生成手段を備えた、
情報処理装置。
【請求項７】
請求項１乃至６のいずれかに記載の情報処理装置であって、
前記属性は、人物の年齢を表す情報、人物の性別を表す情報、又は、人物の身の回り品を表す情報、である、
情報処理装置。
【請求項８】
情報処理装置に、
対象場所を撮影した撮影画像内の人物の属性を表す人物属性情報を抽出する抽出手段と、
記憶手段に記憶された前記対象場所に応じた人物の属性を表す基準属性情報と、前記人物属性情報と、に基づいて、前記撮影画像内の所定の人物を検出する検出手段と、
を実現させるためのプログラム。
【請求項９】
対象場所を撮影した撮影画像内の人物の属性を表す人物属性情報を抽出し、
記憶手段に記憶された前記対象場所に応じた人物の属性を表す基準属性情報と、前記人物属性情報と、に基づいて、前記撮影画像内の所定の人物を検出する、
情報処理方法。
【請求項１０】
請求項９に記載の情報処理方法であって、
前記基準属性情報は、周囲環境毎に設定されており、
前記撮影画像の周囲環境に対応して設定された前記基準属性情報と前記人物属性情報とに基づいて前記撮影画像内の所定の人物を検出する、
情報処理方法。
【請求項１１】
請求項９又は１０に記載の情報処理方法であって、
前記撮影画像内の人物の行動を表す行動情報を抽出し、
前記基準属性情報と前記人物属性情報と前記行動情報とに基づいて、前記人物属性情報に対応する前記撮影画像内の所定の人物を検出する、
情報処理方法。
【請求項１２】
請求項９乃至１１のいずれかに記載の情報処理方法であって、
前記対象場所を撮影した前記撮影画像内の人物の属性を抽出し、当該抽出した人物の属性に基づいて当該対象場所に対応する前記基準属性情報を生成して記憶する、
情報処理方法。
【発明の詳細な説明】
【技術分野】
【０００１】
本発明は、対象場所に存在する人物を検出する情報処理装置、情報処理方法、プログラムに関する。
【背景技術】
【０００２】
空港や駅、店舗、イベント会場など、不特定多数の人物が集まる場所には、犯罪行為や迷惑行為を行う可能性のある人物が存在している場合がある。そのような人物は、不審行動を取ったり異常な生体状態となっている場合が有り、見た目で不審者と判断できることもあるため、事前に対応を取ることもできる。【０００３】
一方で、不審者を検出する警備者が少ないか存在していなかったり、不審者を見た目では判断できない場合もある。そのような状況を考慮し、自動的に不審者を検出するための技術が望まれる。
【先行技術文献】
【特許文献】
【０００４】
【特許文献１】特開２０１８−３７０７５号公報
【発明の概要】
【発明が解決しようとする課題】
【０００５】
ここで、例えば、特許文献１に記載のように、空港などにおいて自動的に不審者を検出するための技術が開示されている。この特許文献１では、一例として空港の入国審査エリアにおいて、人物の生体データを収集して不審者を検出している。【０００６】
しかしながら、特許文献１に記載のように生体データから不審者を検出する方法では、そもそも不特定多数の人物から生体データ自体を検出することが容易ではない。このため、不審者を検出することができず、また、不審者に限らず、ある場所において所望の人物を検出することもできない。【０００７】
このため、本発明の目的は、上述した課題である、対象場所において容易に所望の人物を検出することができない、ことを解決することができる情報処理装置を提供することにある。
【課題を解決するための手段】
【０００８】
本発明の一形態である情報処理装置は、
対象場所に応じた人物の属性を表す基準属性情報を記憶する記憶手段と、
前記対象場所を撮影した撮影画像内の人物の属性を表す人物属性情報を抽出する抽出手段と、
前記基準属性情報と前記人物属性情報とに基づいて前記撮影画像内の所定の人物を検出する検出手段と、
を備えた、
という構成をとる。【０００９】
また、本発明の一形態であるプログラムは、
情報処理装置に、
対象場所を撮影した撮影画像内の人物の属性を表す人物属性情報を抽出する抽出手段と、
記憶手段に記憶された前記対象場所に応じた人物の属性を表す基準属性情報と、前記人物属性情報と、に基づいて、前記撮影画像内の所定の人物を検出する検出手段と、
を実現させる、
という構成をとる。【００１０】
また、本発明の一形態である情報処理方法は、
対象場所を撮影した撮影画像内の人物の属性を表す人物属性情報を抽出し、
記憶手段に記憶された前記対象場所に応じた人物の属性を表す基準属性情報と、前記人物属性情報と、に基づいて、前記撮影画像内の所定の人物を検出する、
という構成をとる。
【発明の効果】
【００１１】
本発明は、以上のように構成されることにより、対象場所において容易に所望の人物を検出することができる。
【図面の簡単な説明】
【００１２】
【図１】本発明の実施形態１における情報処理システムの全体構成を示す図である。
【図２Ａ】本発明の実施形態１における情報処理システムの構成を示すブロック図である。
【図２Ｂ】図２Ａに開示した基準情報記憶部に記憶される情報の一例を示す図である。
【図３】図１に開示した監視装置に記憶される情報の一例を示す図である。
【図４】図１に開示した監視装置により出力される画像の一例を示す図である。
【図５】図１に開示した監視装置により出力される画像の一例を示す図である。
【図６】図１に開示した監視装置により出力される画像の一例を示す図である。
【図７】図１に開示した監視装置による処理動作を示すフローチャートである。
【図８】図１に開示した監視装置による処理動作を示すフローチャートである。
【図９】本発明の実施形態２における監視装置により出力される画像の一例を示す図である。
【図１０】本発明の実施形態２における情報処理装置の構成を示すブロック図である。
【発明を実施するための形態】
【００１３】
＜実施形態１＞
本発明の第１の実施形態を、図１乃至図８を参照して説明する。図１乃至６は、情報処理システムの構成を説明するための図であり、図７乃至図８は、情報処理システムの処理動作を説明するための図である。以下、情報処理システムの構成と動作を併せて説明する。
【００１４】
本発明における情報処理システムは、店舗や施設などの設定された対象となる場所Ｒに存在する人物Ｐのうち、予め設定された基準によって不審者と判断される人物など、所望の人物を検出するために利用される。なお、以下では、対象場所を「百貨店の化粧品売り場」とし、また、かかる場所において「不審者」と判別できる人物を検出対象とする場合を一例に挙げて説明する。但し、本発明では、対象場所は、宝石店、ゲームセンター、遊園地などの店舗や施設といったいかなる場所でもよい。また、本発明では、不審者に限らず、店舗が希望する属性の人物を検出対象とするなど、いかなる人物を検出対象としてもよい。これにより、本発明は、対象場所における不審者の監視による警備に利用したり、販売対象属性者に対して積極的に接客を行うなどマーケティング活動にも利用することができる。なお、検出対象とする人物は、迷子や病人、老人、被介護者、などであってもよい。
【００１５】
図１に示すように、本実施形態における情報処理システムは、対象場所Ｒとなる空間を撮影するためのカメラＣと、撮影画像内の人物Ｐを監視する監視装置１０と、監視結果を出力する出力装置２０と、を備えている。なお、監視装置１０は、演算装置と記憶装置とを備えた１台又は複数台の情報処理装置にて構成される。また、出力装置２０は、演算装置と記憶装置とを備えた１台又は複数台の情報処理装置にて構成され、さらに表示装置を備えている。かかる表示装置は、後述するように、監視装置１０にて撮影された撮影画像と共に、検出した人物を表示出力するためのものである。以下、主に監視装置１０の構成について詳述する。
【００１６】
上記監視装置１０は、図２Ａに示すように、演算装置がプログラムを実行することで構築された、人物抽出部１１、学習部１２、検出部１３、を備える。また、監視装置１０は、記憶装置に形成された人物情報記憶部１４、基準情報記憶部１５、を備える。以下、各構成について詳述する。
【００１７】
上記人物抽出部１１（抽出手段）は、まず、カメラＣにて撮影された対象場所Ｒの撮影画像を一定の時間間隔で受け付ける。例えば、図４に示すように、複数の人物Ｐが存在する対象場所Ｒの撮影画像を受け付けて、一時的に記憶しておく。なお、本実施形態では、監視装置１０にカメラＣが１台しか接続されていないが、複数台のカメラＣが接続され、それぞれのカメラＣにて撮影された撮影画像に対して、以下に説明するような抽出処理や学習処理、不審者の検出処理が行われてもよい。
【００１８】
そして、人物抽出部１１は、撮影画像内に映る物体の形状や色、動きなどから、撮影画像内の人物Ｐを抽出する（図７のステップＳ１）。さらに、人物抽出部１１は、撮影画像から抽出した人物Ｐの画像部分に基づいて、当該人物Ｐの属性を表す人物属性情報を抽出する（図７のステップＳ２）。人物属性情報は、例えば、人物Ｐの性別、年齢（年代）、服装や持ち物などの身の回り品、を表す情報であり、人物Ｐの顔画像や身体画像などから画像解析によって抽出する。
【００１９】
また、人物抽出部１１は、撮影画像内の人物Ｐの行動を表す行動情報も抽出する（図７のステップＳ３）。例えば、人物抽出部１１は、人物の顔画像や身体画像、他の人物との距離などから、顔の向き、表情、視線、移動経路、１人又はグループ、などを行動情報として抽出する。なお、本実施形態では、人物抽出部１１は、カメラＣから動画からなる撮影画像を取得して、上述したように人物の属性や行動を抽出するが、カメラＣから静止画からなる撮影画像を取得して人物の属性や行動を抽出してもよい。この場合、１枚の静止画から人物の性別などの属性や顔の向きなどの行動を抽出してもよく、時系列に沿って連続する複数の静止画から人物の属性や行動を抽出してもよい。
【００２０】
さらに、人物抽出部１１は、上述したように人物Ｐ毎に人属属性情報や行動情報を抽出したときにおける、対象場所Ｒの場面情報を取得する。具体的に、人物抽出部１１は、場面情報として、対象場所Ｒの属性や特定の場所を表す場所情報と、対象場所Ｒの周囲環境を表す環境情報と、を取得する。例えば、人物抽出部１１は、上記場所情報として、対象場所Ｒの撮影画像を撮影しているカメラＣに付与されているカメラ識別情報やカメラ位置情報を取得し、カメラ識別情報やカメラ位置情報とに関連付けられている場所情報を取得する。一例として、場所情報としては、「百貨店の化粧品売り場」といった場所の属性を表す情報であってもよく、「○○デパート銀座店」のように特定の場所を表す情報であってもよい。また、人物抽出部１１は、上記環境情報として、日時や季節、天気などを、ネットワークを介して接続された他の情報処理装置から取得する。なお、上述した場所情報や環境情報は、上記情報に限定されず、また、いかなる方法で取得されてもよい。そして、人物抽出部１１は、抽出した人物属性情報と行動情報とに、場所情報と環境情報とからなる場面情報を関連付けて人物情報記憶部１４に記憶しておく。
【００２１】
上記学習部１２（基準属性情報生成手段）は、上述したように撮影画像から抽出され、人物情報記憶部１４に記憶されている人物属性情報及び行動情報を読み出す。そして、人物属性情報及び行動情報を学習することにより、対象場所Ｒつまり場面情報に対応する人物Ｐの属性及び行動を表す基準属性情報を生成する（図７のステップＳ４）。例えば、学習部１２は、抽出した人物Ｐの性別と年齢といった属性から、図３に示すように、対象場所Ｒである「化粧品売り場」を訪れる人物Ｐの性別毎の年齢の分布を学習した基準属性情報を生成する。図３の例では、対象場所Ｒである「化粧品売り場」を訪れる人物Ｐの属性が、２０歳から６０歳の女性が多く（符号Ｗを参照）、男性は極端に少ないことがわかる（符号Ｍを参照）。このように、基準属性情報は、複数の人物の属性を表すこととなる。そして、学習部１２は、生成した基準属性情報を、場面情報に関連付けて基準情報記憶部１５（記憶手段）に記憶する（図７のステップＳ５）。
【００２２】
なお、学習部１２は、人物属性情報に関連付けられている環境情報や行動情報も含めて学習し、基準属性情報を生成してもよい。例えば、学習部１２は、行動情報から１人で行動している人物Ｐのみの性別毎の年齢の分布を基準属性情報として生成してもよく、複数人のグループで行動している人物Ｐの性別毎の年齢分布を基準属性情報として生成してもよい。また、学習部１２は、行動情報から、人物Ｐの性別毎の顔の向きや移動経路の統計を基準属性情報として生成してもよい。また別の例として、学習部１２は、行動情報から、人物Ｐによる商品棚から商品を取る／商品棚に商品を戻す動作、ふらつく動作、特定の場所に一定時間滞在している動作、人物Ｐが特定の商品を一定時間見つめる動作、商品棚以外を見渡す動作、などの特定の動作を基準属性情報として生成してもよい。さらに、学習部１２は、環境情報から、季節毎や時間帯毎に人物Ｐの性別毎の年齢の分布を生成してもよい。
【００２３】
ここで、学習部１２は、事前の設定あるいは外部入力により、対象場所Ｒが通常状態であると判断されているときに記憶された場面情報毎の人物属性情報等を用いて、基準属性情報を生成する。つまり、基準情報記憶部１５に記憶された場面情報毎の基準属性情報は、対象場所Ｒである場所情報や環境情報が通常状態におけるものとなる。また、学習部１２は、上述した人物抽出部１１にて新たな撮影画像から抽出された人物属性情報等を用いて学習し続けて、基準情報記憶部１５内の基準属性情報を更新してもよい。なお、基準情報記憶部１５に記憶される基準属性情報は、上述したように必ずしも学習部１２によって学習されたものであることに限定されず、予め用意された情報が記憶されてもよい。
【００２４】
図２Ｂに、学習部１２によって生成され、基準情報記憶部１５に記憶される基準属性情報の一例を示す。例えば、場面情報「化粧品売り場」、環境情報「休日」に対して、「２０代以上の女性」、「３０代以上の男女カップル」といった人物属性と、「商品を見る」、「商品を手に取る」といった行動が、基準属性情報として記憶される。別の例としては、場面情報「○○デパート銀座店」、環境情報「夏」に対して、「薄着（服装）」といった人物属性が、基準属性情報として記憶される。但し、図２Ｂに示す基準属性情報は一例であって、図３に示すような人物季節毎や時間帯毎に人物Ｐの性別毎の年齢の分布をそのまま基準属性情報として記憶してもよく、他のいかなる内容の情報であってもよい。
【００２５】
なお、図２Ｂの例では、場所情報と環境情報に対して、通常状態における人物Ｐの属性や行動を基準属性情報としている場合を例示しているが、異常状態つまり不審者に合致するような人物Ｐの属性や行動を基準属性情報としてもよい。例えば、場面情報「化粧品売り場」、環境情報「平日」に対して、「グループの男性」といった人物の属性や「商品以外を見回す」といった行動を、基準属性情報として記憶してもよい。また、基準属性情報としては、場所情報や環境情報において、来店を希望する見込み客となるような人物の属性や行動を記憶してもよい。
【００２６】
ここで、上述したように基準属性情報が記憶される基準情報記憶部１５は、必ずしも監視装置１０内に設けられていることに限定されず、他の情報処理装置に装備されていてもよい。この場合、監視装置１０は、ネットワークを介して他の情報処理装置に接続して、生成した基準属性情報を記憶したり、後述するように記憶されている基準属性情報を読み出してもよい。
【００２７】
上記検出部１３（検出手段）は、新たに撮影された撮影画像内の人物Ｐのうち、不審者を検出する。このため、まず新たに撮影された撮影画像に対しては、上述したように人物抽出部１１が撮影画像内から人物Ｐを抽出し（図８のステップＳ１１）、かかる人物Ｐの人物属性情報、行動情報、環境情報を抽出し（図８のステップＳ１２，Ｓ１３）、検出部１３に渡す。このとき、検出部１３は、撮影画像を撮影したカメラＣに付与されているカメラ識別情報やカメラ位置情報を取得し、これらの情報に関連付けられている場所情報を抽出する。すると、検出部１３は、抽出された場所情報及び環境情報に関連付けられて基準情報記憶部１５に記憶されている基準属性情報を読み出して、かかる基準属性情報と、新たな撮影画像から抽出された人物属性情報等と、を比較する（図８のステップＳ１４）。
【００２８】
そして、検出部１３は、基準属性情報に、抽出された人物属性情報と行動情報とが、予め設定された基準により合致しない場合に、その人物Ｐを不審者として検出する（図８のステップＳ１５でＹｅｓ）。例えば、基準属性情報が、図３に示すような１人で行動する人物Ｐの性別毎の年齢分布の内容であったり、図２Ｂの場面情報「化粧品売り場」、環境情報「平日」に対応する「２０代以上の女性」という内容であるとする。このときに、新たに抽出した人物属性情報が「６０代の男性」の場合や、「グループ（複数）の男性」の場合には、基準属性情報と合致しないとして、その人物Ｐや人物グループを不審者として検出する。このように、検出部１３は、複数の人物Ｐの人物属性情報等を基準属性情報と比較して、複数の人物Ｐ（グループ）を不審者として検出することもできる。なお、抽出された人物属性情報と行動情報とが基準属性情報に合致しないことの判定は、例えば、抽出した人物属性情報や行動情報が基準属性情報に合致する確率（例えば、尤度）が閾値以下（例えば、２０％以下）である場合に行う。但し、かかる判定はいかなる方法で行っても良い。
【００２９】
そして、検出部１３は、不審者の情報を含めた撮影画像を、出力装置２０に表示出力する（図８のステップＳ１６）。ここで、図４は、撮影画像そのものを出力装置２０に出力したときの様子を示しており、このような撮影画像上に、不審者として検出した人物Ｐ１を区別できるよう表示する。例えば、図５，６に示すように、不審者Ｐ１を所定の色で塗りつぶして表示してもよく、不審者Ｐ１の周囲を縁取って表示したり、不審者Ｐ１にマークを付すなど、他の方法で不審者Ｐ１が目立つよう表示してもよい。また、検出部１３は、撮影画像内の人物Ｐが動くにつれて当該人物Ｐを追跡し、不審者Ｐ１も追跡して不審者表示を行ってもよい。
【００３０】
ここで、検出部１３による不審者を検出する場合の他の例を説明する。例えば、基準属性情報が、図２Ｂの場面情報「化粧品売り場」、環境情報「平日」に対応する「２０代以上の女性」といった人物属性と、「商品を見る」、「商品を手に取る」といった行動の内容であるとする。この場合、人物Ｐから抽出した人物属性情報が「２０代の女性」であっても、行動情報が「顔の向きがキョロキョロしている（商品棚を向いていない）」といった場合には、上記基準属性情報と合致しないため、かかる人物Ｐを不審者として検出する。
【００３１】
また、別の例としては、基準属性情報が人物Ｐが所持するバッグの大きさを表しており、「小サイズ」といった情報である場合に、人物Ｐから抽出した人物属性情報としての所持するバッグの大きさが「大サイズ」という場合には、上記基準属性情報と合致しないため、かかる人物Ｐを不審者として検出する。また、別の例としては、基準属性情報が人物Ｐの服装を表しており、「薄着」といった情報である場合に、人物Ｐから抽出した人物属性情報としての服装が「厚着」という場合には、上記基準属性情報と合致しないため、かかる人物Ｐを不審者として検出する。
【００３２】
なお、上記では、人物Ｐから抽出した人物属性情報が、基準属性情報に合致しない人物を検出する場合を例示したが、基準属性情報に合致する人物属性情報の人物Ｐを検出してもよい。つまり、基準属性情報自体が不審者に合致する情報である場合には、不審者を検出することができ、基準属性情報自体が店舗側が来店を希望する見込み客となるような内容である場合には、所望の見込み客を検出することができる。
【００３３】
また、検出部１３は、撮影画像内の人物Ｐの行動情報から追跡する人物Ｐを特定し、かかる特定した人物Ｐの行動情報から不審者Ｐ１を検出してもよい。例えば、同じ場所に何度も立ち寄ったり、うろうろするなど予め設定された行動を行っている人物Ｐを追跡し、かかる人物Ｐが基準属性情報として記憶されている行動を取った場合に、不審者Ｐ１として検出してもよい。また、検出部１３は、人物Ｐが不審者Ｐ１として検出される回数を記憶しておき、かかる回数が閾値以上となった場合のみ、かかる人物Ｐを不審者Ｐ１として最終決定して出力してもよい。
【００３４】
また、検出部１３は、例えば、図３に示すような人物Ｐの性別毎の年齢の分布を表す基準属性情報が記憶されている場合には、全体の数パーセント以下となる「年代の男性」を不審者として検出してもよい。また、別の例として、対象場所Ｒで犯罪等の異常状態が生じたときの撮影画像に基づいて、異常状態を生じさせた人物Ｐの属性を基準属性情報として記憶している場合には、異常状態を生じさせる可能性のある人物Ｐを不審者として検出することができる。一例として、場面情報「化粧品売り場」に対して、「商品以外の物品を手に取る」といった人物の行動が基準属性情報として記憶されている場合には、かかる行動をとった人物Ｐを不審者として検出する。
【００３５】
以上のように、本発明では、対象場所に応じた人物の属性を表す基準属性情報を用意しておき、対象場所を撮影した撮影画像内の人物の属性と比較することで、対象場所における所望の人物を検出することができる。これにより、例えば、対象場所においては不適切と思われる不審者を検出して警備に利用したり、また別の例では、対象場所においては適切と思われる見込み客を検出して接客に利用することができる。
【００３６】
なお、上記では、基準属性情報として、人物の属性と人物の行動との両方を用いる場合を例示しているが、本発明における基準属性情報は、少なくとも一方のみの情報を用いてもよい。つまり、本発明では、基準属性情報として記憶された人物の属性に基づいて、新たな撮影画像から抽出した人物の属性のみから不審者を検出してもよく、基準属性情報として記憶された人物の行動に基づいて、新たな撮影画像から抽出した人物の行動のみから不審者を検出してもよい。
【００３７】
＜実施形態２＞
次に、本発明の第２の実施形態を、図９を参照して説明する。図９は、実施形態２における監視装置１０により出力される画像の一例を示す図である。
【００３８】
本実施形態における情報処理システムは、上述した実施形態１とほぼ同様の構成を有している。このうち、実施形態１では、監視装置１０は、１つのカメラＣから撮影された撮影画像のほぼ全体を監視する対象場所Ｒとしていたが、本実施形態では、１つのカメラＣから撮影された撮影画像を分割した分割領域を、それぞれ監視する対象場所Ｒとしている。
【００３９】
ここで、図９は、１つのカメラＣにて撮影された撮影画像を示しているが、かかる撮影画像の横方向の左右それぞれに２つの異なる場所（一例として、２つの売り場）が映っていることとする。この場合、監視装置１０は、撮影画像を左右にそれぞれ分割して、左側を第一分割領域Ｒ１とし、右側を第二分割領域Ｒ２として設定する。そして、監視装置１０は、第一分割領域Ｒ１と第二分割領域Ｒ２とのそれぞれに対して、人物Ｐを抽出して学習による基準属性情報を生成し、かかる基準属性情報と新たに抽出した人物Ｐの属性や行動から、不審者を検出する。
【００４０】
具体的に、監視装置１０は、カメラＣのカメラ識別情報と分割領域を指定する領域情報とから、第一分割領域Ｒ１に対応する場所情報や環境情報といった場面情報を取得する。そして、監視装置１０は、第一分割領域Ｒ１のみに映る人物Ｐの属性情報や行動情報を抽出し、これらを学習して、第一分割領域Ｒ１の場所情報や環境情報に対応する基準属性情報を生成して記憶しておく。その後、監視装置１０は、第一分割領域Ｒ１内の人物Ｐを抽出して、その属性情報や行動情報が第一分割領域Ｒ１に対応して記憶した基準属性情報に合致する／合致しない場合に、かかる人物Ｐを不審者として検出する。
【００４１】
また、監視装置１０は、同じ撮影画像の第二分割領域Ｒ２に対しても、上述したように第一分割領域Ｒ１に対して行った同様の処理を行う。まず、監視装置１０は、カメラＣのカメラ識別情報と分割領域を指定する領域情報とから、第二分割領域Ｒ２に対応する場所情報や環境情報といった場面情報を取得する。そして、監視装置１０は、第二分割領域Ｒ２のみに映る人物Ｐの属性情報や行動情報を抽出し、これらを学習して、第二分割領域Ｒ１の場所情報や環境情報に対応する基準属性情報を生成して記憶しておく。その後、監視装置１０は、第二分割領域Ｒ２内の人物Ｐを抽出して、その属性情報や行動情報が第二分割領域Ｒ２に対応して記憶した基準属性情報に合致する／合致しない場合に、かかる人物Ｐを不審者として検出する。
【００４２】
以上のようにすることで、撮影画像内の分割領域Ｒ１，Ｒ２毎に基準属性情報を設定することができる。例えば、分割領域Ｒ１，Ｒ２にそれぞれ対応する売り場毎に、訪れる客の属性（性別、年代など）や行動（例えば、商品を閲覧するだけや試用が必要など）が異なる場合に、売り場毎の通常状態や異常状態の人物の属性や行動を表す適切な基準属性情報を設定することができる。その結果、分割領域Ｒ１，Ｒ２毎に、適切に不審者を検出することができる。
【００４３】
＜実施形態３＞
次に、本発明の第３の実施形態を、図１０を参照して説明する。図１０は、実施形態３における情報処理装置の構成を示すブロック図である。なお、本実施形態では、実施形態１，２で説明した監視装置の構成の概略を示している。
【００４４】
図１０に示すように、本実施形態おける情報処理装置１００は、
対象場所に応じた人物の属性を表す基準属性情報を記憶する記憶手段１３０と、
対象場所を撮影した撮影画像内の人物の属性を表す人物属性情報を抽出する抽出手段１１０と、
基準属性情報と人物属性情報とに基づいて撮影画像内の人物を検出する検出手段１２０と、
を備える。
【００４５】
なお、上述した抽出手段１１０と検出手段１２０とは、情報処理装置１００が装備する演算装置がプログラムを実行することで構築されるものであってもよく、電子回路で構築されるものであってもよい。
【００４６】
そして、上記構成の情報処理装置１００は、
対象場所を撮影した撮影画像内の人物の属性を表す人物属性情報を抽出し、
記憶手段に記憶された対象場所に応じた人物の属性を表す基準属性情報と、人物属性情報と、に基づいて、撮影画像内の人物を検出する、
という処理を実行するよう作動する。
【００４７】
上記発明によると、予め用意された対象場所に応じた人物の属性を表す基準属性情報と、対象場所を撮影した撮影画像内の人物の属性とを比較することで、対象場所における所望の人物を検出することができる。
【００４８】
＜付記＞
上記実施形態の一部又は全部は、以下の付記のようにも記載されうる。以下、本発明における情報処理システム、情報処理方法、プログラムの構成の概略を説明する。但し、本発明は、以下の構成に限定されない。
【００４９】
（付記１）
対象場所に応じた人物の属性を表す基準属性情報を記憶する記憶手段と、
前記対象場所を撮影した撮影画像内の人物の属性を表す人物属性情報を抽出する抽出手段と、
前記基準属性情報と前記人物属性情報とに基づいて前記撮影画像内の所定の人物を検出する検出手段と、
を備えた情報処理装置。
【００５０】
（付記２）
付記１に記載の情報処理装置であって、
前記検出手段は、複数の人物の属性を表す前記基準属性情報と、１人又は複数の人物の属性を表す前記人物属性情報と、に基づいて、前記撮影画像内の所定の人物を検出する、
情報処理装置。
【００５１】
（付記３）
付記１又は２に記載の情報処理装置であって、
前記検出手段は、前記基準属性情報に対して前記人物属性情報が、所定の基準により合致する場合、又は、所定の基準により合致しない場合に、当該人物属性情報に対応する前記撮影画像内の所定の人物を検出する、
情報処理装置。
【００５２】
（付記４）
付記１乃至３のいずれかに記載の情報処理装置であって、
前記基準属性情報は、周囲環境毎に設定されており、
前記検出手段は、前記撮影画像の周囲環境に対応して設定された前記基準属性情報と前記人物属性情報とに基づいて前記撮影画像内の所定の人物を検出する、
情報処理装置。
【００５３】
（付記５）
付記１乃至４のいずれかに記載の情報処理装置であって、
前記抽出手段は、前記撮影画像内の人物の行動を表す行動情報を抽出し、
前記検出手段は、前記基準属性情報と前記人物属性情報と前記行動情報とに基づいて、前記人物属性情報に対応する前記撮影画像内の所定の人物を検出する、
情報処理装置。
【００５４】
（付記６）
付記１乃至５のいずれかに記載の情報処理装置であって、
前記対象場所を撮影した前記撮影画像内の人物の属性を抽出し、当該抽出した人物の属性に基づいて当該対象場所に対応する前記基準属性情報を生成して記憶する基準属性情報生成手段を備えた、
情報処理装置。
【００５５】
（付記７）
付記１乃至６のいずれかに記載の情報処理装置であって、
前記属性は、人物の年齢を表す情報、人物の性別を表す情報、又は、人物の身の回り品を表す情報、である、
情報処理装置。
【００５６】
（付記８）
情報処理装置に、
対象場所を撮影した撮影画像内の人物の属性を表す人物属性情報を抽出する抽出手段と、
記憶手段に記憶された前記対象場所に応じた人物の属性を表す基準属性情報と、前記人物属性情報と、に基づいて、前記撮影画像内の所定の人物を検出する検出手段と、
を実現させるためのプログラム。
【００５７】
（付記８．１）
付記８に記載のプログラムであって、
前記基準属性情報は、周囲環境毎に設定されており、
前記検出手段は、前記撮影画像の周囲環境に対応して設定された前記基準属性情報と前記人物属性情報とに基づいて前記撮影画像内の所定の人物を検出する、
プログラム。
【００５８】
（付記８．２）
付記８又は８．１のいずれかに記載のプログラムであって、
前記抽出手段は、前記撮影画像内の人物の行動を表す行動情報を抽出し、
前記検出手段は、前記基準属性情報と前記人物属性情報と前記行動情報とに基づいて、前記人物属性情報に対応する前記撮影画像内の所定の人物を検出する、
プログラム。
【００５９】
（付記８．３）
付記８乃至８．２のいずれかに記載のプログラムであって、
前記情報処理装置に、
前記対象場所を撮影した前記撮影画像内の人物の属性を抽出し、当該抽出した人物の属性に基づいて当該対象場所に対応する前記基準属性情報を生成して記憶する基準属性情報生成手段、
をさらに実現させるためのプログラム。
【００６０】
（付記９）
対象場所を撮影した撮影画像内の人物の属性を表す人物属性情報を抽出し、
記憶手段に記憶された前記対象場所に応じた人物の属性を表す基準属性情報と、前記人物属性情報と、に基づいて、前記撮影画像内の所定の人物を検出する、
情報処理方法。
【００６１】
（付記１０）
付記９に記載の情報処理方法であって、
前記基準属性情報は、周囲環境毎に設定されており、
前記撮影画像の周囲環境に対応して設定された前記基準属性情報と前記人物属性情報とに基づいて前記撮影画像内の所定の人物を検出する、
情報処理方法。
【００６２】
（付記１１）
付記９又は１０に記載の情報処理方法であって、
前記撮影画像内の人物の行動を表す行動情報を抽出し、
前記基準属性情報と前記人物属性情報と前記行動情報とに基づいて、前記人物属性情報に対応する前記撮影画像内の所定の人物を検出する、
情報処理方法。
【００６３】
（付記１２）
付記９乃至１１のいずれかに記載の情報処理方法であって、
前記対象場所を撮影した前記撮影画像内の人物の属性を抽出し、当該抽出した人物の属性に基づいて当該対象場所に対応する前記基準属性情報を生成して記憶する、
情報処理方法。
【００６４】
なお、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００６６】
１０  監視装置
１１  人物抽出部
１２  学習部
１３  検出部
１４  人物情報記憶部
１５  基準情報記憶部
２０  出力装置
１００  情報処理装置
１１０  抽出手段
１２０  検出手段
１３０  記憶手段
Ｃ  カメラ
Ｐ  人物
Ｐ１  不審者
Ｒ  対象場所
【図１】
2020148889.tif 000003
【図２Ａ】
2020148889.tif 000004
【図２Ｂ】
2020148889.tif 000005
【図３】
2020148889.tif 000006
【図４】
2020148889.tif 000007
【図５】
2020148889.tif 000008
【図６】
2020148889.tif 000009
【図７】
2020148889.tif 000010
【図８】
2020148889.tif 000011
【図９】
2020148889.tif 000012
【図１０】
2020148889.tif 000013
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
対象場所に応じた人物の属性を表す基準属性情報を記憶する記憶手段と、
前記対象場所を撮影した撮影画像内の人物の属性を表す人物属性情報を抽出する抽出手段と、
前記基準属性情報と前記人物属性情報とに基づいて前記撮影画像内の所定の人物を検出する検出手段と、
を備えた情報処理装置。
【請求項２】
請求項１に記載の情報処理装置であって、
前記検出手段は、複数の人物の属性を表す前記基準属性情報と、１人又は複数の人物の属性を表す前記人物属性情報と、に基づいて、前記撮影画像内の所定の人物を検出する、
情報処理装置。
【請求項３】
請求項１又は２に記載の情報処理装置であって、
前記検出手段は、前記基準属性情報に対して前記人物属性情報が、所定の基準により合致する場合、又は、所定の基準により合致しない場合に、当該人物属性情報に対応する前記撮影画像内の所定の人物を検出する、
情報処理装置。
【請求項４】
請求項１乃至３のいずれかに記載の情報処理装置であって、
前記基準属性情報は、周囲環境毎に設定されており、
前記検出手段は、前記撮影画像の周囲環境に対応して設定された前記基準属性情報と前記人物属性情報とに基づいて前記撮影画像内の所定の人物を検出する、
情報処理装置。
【請求項５】
請求項１乃至４のいずれかに記載の情報処理装置であって、
前記抽出手段は、前記撮影画像内の人物の行動を表す行動情報を抽出し、
前記検出手段は、前記基準属性情報と前記人物属性情報と前記行動情報とに基づいて、前記人物属性情報に対応する前記撮影画像内の所定の人物を検出する、
情報処理装置。
【請求項６】
請求項１乃至５のいずれかに記載の情報処理装置であって、
前記対象場所を撮影した前記撮影画像内の人物の属性を抽出し、当該抽出した人物の属性に基づいて当該対象場所に対応する前記基準属性情報を生成して記憶する基準属性情報生成手段を備えた、
情報処理装置。
【請求項７】
請求項１乃至６のいずれかに記載の情報処理装置であって、
前記属性は、人物の年齢を表す情報、人物の性別を表す情報、又は、人物の身の回り品を表す情報、である、
情報処理装置。
【請求項８】
情報処理装置に、
対象場所を撮影した撮影画像内の人物の属性を表す人物属性情報を抽出する抽出手段と、
記憶手段に記憶された前記対象場所に応じた人物の属性を表す基準属性情報と、前記人物属性情報と、に基づいて、前記撮影画像内の所定の人物を検出する検出手段と、
を実現させるためのプログラム。
【請求項９】
対象場所を撮影した撮影画像内の人物の属性を表す人物属性情報を抽出し、
記憶手段に記憶された前記対象場所に応じた人物の属性を表す基準属性情報と、前記人物属性情報と、に基づいて、前記撮影画像内の所定の人物を検出する、
情報処理方法。
【請求項１０】
請求項９に記載の情報処理方法であって、
前記基準属性情報は、周囲環境毎に設定されており、
前記撮影画像の周囲環境に対応して設定された前記基準属性情報と前記人物属性情報とに基づいて前記撮影画像内の所定の人物を検出する、
情報処理方法。
【国際調査報告】
2020148889.tif 000014
2020148889.tif 000015
2020148889.tif 000016